(57)【特許請求の範囲】
【請求項１】
本体(10)の側部に機械室(12)を設け、該本体(10)から機械室(12)内に張り出すよう突設された冷却箱(24)の突出面(24a)側にコンデンサ(34)が配置されると共に、該冷却箱(24)の下方に蒸発皿(30)が配置され、この蒸発皿(30)の前方または後方に配置した凝縮用ファン(36)の通風作用により、前記蒸発皿(30)に回収した除霜水等を蒸発させると共に前記コンデンサ(34)を空冷するよう構成した貯蔵庫における機械室構造において、
前記冷却箱(24)の底部に、前記突出面(24a)に向けて上方傾斜する傾斜面(24b)が設けられ、該傾斜面(24b)の傾斜下端は、前記蒸発皿(30)の上面より上方位置に設定され、
前記蒸発皿(30)における前記凝縮用ファン(36)から離間する端部に、上方に突出して、該凝縮用ファン(36)により発生する風を前記コンデンサ(34)へ向けて案内する案内板(40)を設けた
ことを特徴とする貯蔵庫における機械室構造。
【請求項２】
前記傾斜面(24b)には、前記蒸発皿(30)を挟んで前記凝縮用ファン(36)と反対側に位置して、該凝縮用ファン(36)により発生する風を前記コンデンサ(34)へ向けて案内する第２の案内板(42)が設けられている請求項１記載の貯蔵庫における機械室構造。
【発明の詳細な説明】
【０００１】
【発明の属する技術分野】
本発明は、貯蔵庫における機械室構造に関し、更に詳細には、機械室の上部に配設したコンデンサの空冷と、下部に配設した蒸発皿における除霜水等の蒸発とを、該蒸発皿の前方または後方に配置した凝縮用ファンの通風作用により行なうよう構成した貯蔵庫における機械室構造に関するものである。
【０００２】
【従来の技術】
野菜や果実その他肉や魚等の生鮮食品(以下「食材」という)を、長期に亘り冷却貯蔵する冷蔵庫や冷凍庫等の貯蔵庫では、食材を冷却貯蔵するための収納室が内部画成された横長箱状に形成した本体の側部に機械室が設けられている。この機械室の内部上方に、収納室と連通する冷却箱が室内に張り出すよう突設されており、この冷却箱の内部に、収納室内を冷却するべく機能する冷却器と庫内ファンが収納してある。また機械室には、圧縮機、コンデンサおよび凝縮用ファン等からなる冷凍装置が配設され、該冷凍装置により冷却器に冷媒を循環供給することで、該冷却器を冷却するよう構成される。更に、機械室における冷却箱の下方には、前記冷却器で発生した除霜水等を回収貯留する蒸発皿が配設されている。
【０００３】
【発明が解決しようとする課題】
前記蒸発皿に回収した除霜水等の効率的な蒸発を行なうため、該蒸発皿の下方に圧縮機を配置すると共に上方にコンデンサを配置し、更に蒸発皿の前方または後方に凝縮用ファンを対向して配置する構成が採用されている。この構成によれば、圧縮機の発熱作用および凝縮用ファンの通風作用により、除霜水等の効率的な蒸発が達成される。
【０００４】
しかしながら、前記冷却箱は略矩形状を呈しているため、該冷却箱の下方に位置する蒸発皿に向けて凝縮用ファンから送られた風は、冷却箱に阻害されて上方に向けて円滑に流れず、従ってコンデンサの空冷が充分に行なわれなくなり、凝縮能力が低下するおそれがあった。
【０００５】
【発明の目的】
本発明は、前述した従来の技術に内在している前記欠点に鑑み、これを好適に解決するべく提案されたものであって、凝縮用ファンからの風を効率的にコンデンサに流して充分な空冷を達成し、該コンデンサでの凝縮能力の低下を防止し得る貯蔵庫における機械室構造を提供することを目的とする。
【０００６】
【課題を解決するための手段】
前記課題を克服し、所期の目的を好適に達成するため、本発明に係る貯蔵庫における機械室構造は、
本体の側部に機械室を設け、該本体から機械室内に張り出すよう突設された冷却箱の突出面側にコンデンサが配置されると共に、該冷却箱の下方に蒸発皿が配置され、この蒸発皿の前方または後方に配置した凝縮用ファンの通風作用により、前記蒸発皿に回収した除霜水等を蒸発させると共に前記コンデンサを空冷するよう構成した貯蔵庫における機械室構造において、
前記冷却箱の底部に、前記突出面に向けて上方傾斜する傾斜面が設けられ、該傾斜面の傾斜下端は、前記蒸発皿の上面より上方位置に設定され、
前記蒸発皿における前記凝縮用ファンから離間する端部に、上方に突出して、該凝縮用ファンにより発生する風を前記コンデンサへ向けて案内する案内板を設けたことを特徴とする。
【０００７】
【発明の実施の形態】
次に、本発明に係る貯蔵庫における機械室構造の実施例につき、添付図面を参照しながら以下詳細に説明する。
【０００８】
図１〜図３は、本発明に係る貯蔵庫における機械室構造の一実施例を示す貯蔵庫の冷凍装置の概略構成配置図である。図に示す貯蔵庫における箱状の本体１０の側部には、機械室１２が設けられている。この機械室１２は、前面パネル１４、側面パネル１６、背面パネル１８および天井パネル２０により覆われており(図４参照)、その内部上方には、本体１０に内部画成した収納室２２と連通する冷却箱２４が機械室内に張り出するよう本体１０の側部に突設されている。そしてこの冷却箱２４の内部に、収納室２２内を冷却するべく機能する冷却器２６と庫内ファン(図示せず)とが収納してある。
【０００９】
前記機械室１２の内底部に圧縮機２８が配置されると共に、該圧縮機２８と前記冷却箱２４との間に、前記冷却器２６で発生した除霜水等を回収貯留する蒸発皿３０が配置され、圧縮機２８の発熱作用によって該蒸発皿３０に回収した除霜水等を蒸発させるようになっている。また蒸発皿３０の上方で、前記冷却箱２４の突出面２４ａ(側面パネル１６と対向する面)に、複数の取付具３２を介してコンデンサ３４が配設されている。実施例のコンデンサ３４は、冷媒が循環する管体の外周にフィンを螺旋状に配設したスパイラルコンデンサが採用される。更に、蒸発皿３０の前端部側と対向する前方位置に凝縮用ファン３６が配置され、該ファン３６の回転により蒸発皿３０に向けて風を送るよう構成されている(図１参照)。そして、圧縮機２８、スパイラルコンデンサ３４および凝縮用ファン３６等から冷凍装置３８が構成され、該冷凍装置３８によって前記冷却器２６に冷媒を循環供給することで、該冷却器２６を冷却するよう構成される。
【００１０】
前記蒸発皿３０における前記凝縮用ファン３６から離間する後端部側に、図１および図２に示す如く、該凝縮用ファン３６により発生する風を、上方に位置する前記スパイラルコンデンサ３４に導くための第１の案内板(案内板)４０が設けられている。更に、蒸発皿３０の後方には、同じく凝縮用ファン３６により発生する風をスパイラルコンデンサ３４に導く第２の案内板４２が、前記冷却箱２４の後述する傾斜面２４ｂに配設してある(図３参照)。なお、第２の案内板４２における冷却箱２４から離間する端部は、前記側面パネル１６の内面に近接する位置まで延在し、凝縮用ファン３６により発生する略全ての風をスパイラルコンデンサ３４に導き得るよう構成される。
【００１１】
前記冷却箱２４の底部には、図２,図３および図５に示す如く、スパイラルコンデンサ３４が配設される突出面２４ａに向かうにつれて上方傾斜する傾斜面２４ｂが形成される。この傾斜面２４ｂの傾斜下端は、前記蒸発皿３０の上面より上方位置に設定されており、前記凝縮用ファン３６から送られる風を、該傾斜面２４ｂに沿って上方に向けて効率的に案内し得るよう構成される。なお、冷却箱２４の前後寸法は、前記蒸発皿３０の前後寸法より長く設定されており、前記第１の案内板４０に当って上方に案内される略全ての風を、前記スパイラルコンデンサ３４に集中させ得るようになっている。また冷却箱２４の傾斜面２４ｂには、該冷却器２６で発生した除霜水等を前記蒸発皿３０に排出する排水管４８の一端部が配設してある。
【００１２】
図４に示す如く、前記側面パネル１６における蒸発皿３０の配設位置と対応する位置に窓４４が設けられており、該窓４４を介して外部から蒸発皿３０の汚れ具合、その他機械室１２内の各機器の具合を確認し得るよう構成されている。
【００１３】
【実施例の作用】
次に、実施例に係る貯蔵庫における機械室構造の作用につき、以下説明する。
前記冷凍装置３８を運転すると、前記冷却箱２４に収納されている冷却器２６に冷媒が循環供給されて該冷却器２６が冷却され、該冷却器２６と熱交換した空気を前記収納室２２に庫内ファンによって循環させることで収納室２２の冷却がなされる。前記冷却器２６で発生した除霜水等は、前記排水管４８を介して蒸発皿３０に回収貯溜され、該除霜水等は圧縮機２８の発熱作用により蒸発される。また前記凝縮用ファン３６により発生する風は、前記蒸発皿３０の前端面側に向けて流れ、この通風作用によっても除霜水等の蒸発は促進される。
【００１４】
前記蒸発皿３０の上面を通過した風は、該蒸発皿３０の後端部側に配設した第１の案内板４０および冷却箱２４に配設した第２の案内板４２に当って上方に向けて導びかれる。この場合に、図２に示す如く、蒸発皿３０の上方に張り出している前記冷却箱２４の底部には、スパイラルコンデンサ３４が配設される突出面２４に向けて上方傾斜する傾斜面２４ｂが形成されているから、前記風は該傾斜面２４ｂに沿ってスパイラルコンデンサ３４に向けて集中的に案内され、該コンデンサ３４における凝縮能力を効率的に向上させ得る。また傾斜面２４ｂの傾斜下端は、蒸発皿３０の上面より上方位置に設定されているから、蒸発皿３０の上方を流れる全ての風を上方に向けて好適に案内することができる。
【００１５】
すなわち、前記凝縮用ファン３６から送られる風によって、蒸発皿３０に回収した除霜水等の蒸発を効率的に行ないながら、該蒸発皿３０の上方に配置されるスパイラルコンデンサ３４の充分な空冷を達成することができる。また、前記機械室１２を覆っている側面パネル１６には窓４４が設けられているから、各パネルを取外すことなく室外から蒸発皿３０や各機器の具合を確認することができる。更に、前記冷却箱２４の傾斜面２４ｂに前記第２の案内板４２や排水管４８を配設してあるので、側面パネル１６を取外しての該部材４２,４８のメンテナンス性が良好となっている。
【００１６】
以上、本発明の好適な実施例について説明したが、本発明は実施例に限定されることなく、本発明の精神を逸脱しない範囲内において、多くの設計変更が可能である。例えば、図６に示す如く、前記冷却箱２４を矩形状に形成したもとで、その底部に案内部材４６を傾斜姿勢で配設することで、前述したと同様の傾斜面２４ｂを形成する構成を採用し得る。またコンデンサの種類は、実施例のスパイラルコンデンサに限定されるものでなく、その他各種のコンデンサであってもよい。更に、実施例では蒸発皿の前方に凝縮用ファンを配置したが、後方に配置した構成であってもよく、この場合は蒸発皿の前端部側に第１の案内板を配設すると共に、該第１の案内板の前方において冷却箱の傾斜面に第２の案内板が配設される。また実施例では冷却箱の突出面にコンデンサを配設したが、別の部材に配設したものであってもよい。
【００１７】
【発明の効果】
以上説明した如く、本発明に係る貯蔵庫における機械室構造では、蒸発皿の上方に位置する冷却箱の底部に傾斜面を設けたことで、凝縮用ファンから送られる風によって、蒸発皿に回収した除霜水等の蒸発を効率的に行ないながら、コンデンサの充分な空冷を達成し、その凝縮能力を効率的に向上し得る。また、蒸発皿に案内板を設けたので、凝縮用ファンからの風をコンデンサへ向けて案内することができる。更に、冷却箱の傾斜面に第２の案内板を設けたので、凝縮用ファンからの風をコンデンサへ向けてより確実に案内することができる。
【図面の簡単な説明】
【図１】  本発明の好適な実施例に係る貯蔵庫における機械室構造の機械室内を示す概略側面図である。
【図２】  実施例に係る貯蔵庫の機械室内を示す概略正面図である。
【図３】  実施例に係る貯蔵庫の機械室内を示す概略背面図である。
【図４】  実施例に係る貯蔵庫を示す機械室側の側面図である。
【図５】  実施例に係る冷却箱を示す説明断面図である。
【図６】  変更例に係る冷却箱を示す説明断面図である。
【符号の説明】
１０ 本体，１２ 機械室，２４ 冷却箱，２４ａ 突出面，２４ｂ 傾斜面
３０ 蒸発皿，３４ スパイラルコンデンサ(コンデンサ)，３６ 凝縮用ファン
４０ 第１の案内板(案内板)，４２ 第２の案内板
【図１】
0004629915.tif 000002
【図２】
0004629915.tif 000003
【図３】
0004629915.tif 000004
【図４】
0004629915.tif 000005
【図５】
0004629915.tif 000006
【図６】
0004629915.tif 000007